(57)【要約】      （修正有）【課題】額装対象物（例えば、絵画、色紙、写真等）を保護して、その劣化を抑止でき、かつその視認性を損なうことなく、額装対象物の鑑賞ないし展示に適した額縁構造を提供する。あわせて、設置された周囲環境の浄化ないし維持に寄与する額縁構造を提供する。【解決手段】視認面側から光触媒層２と紫外線遮断層３とがこの順序で配置された前面カバー４を有する額縁構造。【選択図】図１
2015116210.tif 000002
【特許請求の範囲】
【請求項１】
視認面側から光触媒層と紫外線遮断層とがこの順序で配置された前面カバーを有することを特徴とする、額縁構造。
【請求項２】
前記の光触媒が、酸化チタン系触媒またはタングステン系触媒である、請求項１に記載の額縁構造。
【請求項３】
前記の紫外線遮断層が、アクリル樹脂材料からなる、請求項１または２に記載の額縁構造。
【請求項４】
前記の紫外線遮断層が、透明基板の額装対象物側表面に紫外線遮断性材料層が形成されたものである、請求項１〜３のいずれか１項に記載の額縁構造。
【請求項５】
前記の前面カバーが、空気層を介して額装対象物と配置されている、請求項１〜４のいずれか１項に記載の額縁構造。
【請求項６】
前記の光触媒層が、ナノサイズ酸化チタン系触媒に基づく紫外線遮断機能を有する、請求項１〜５のいずれか１項に記載の額縁構造。
【請求項７】
発光装置を有する、請求項１〜６のいずれか１項に記載の額縁構造。
【請求項８】
湿度調整剤および（または）ガス吸収性材料が配置された、請求項１〜７のいずれか１項に記載の額縁構造。
【請求項９】
光触媒層と紫外線遮断層とが配置されたことを特徴とする、額縁構造用の前面カバー。
【発明の詳細な説明】
【技術分野】
【０００１】
本発明は、額縁構造および額縁構造用の前面カバーに関するものである。
【背景技術】
【０００２】
従来より、絵画、複製絵画、色紙、写真、賞状などを額縁に入れて、鑑賞ないし展示することが行われている。一般に、額縁は、単に額装対象物（即ち、絵画、複製絵画、色紙、写真等）を壁面等に吊すためだけでなく、絵画等の魅力を際だたせたり、前面カバーを有する物である場合には周囲環境からの劣化要因（例えば、温度や湿度の変化、埃、光、化学薬品等の汚染物質等）から絵画等を保護するために用いられている。
【０００３】
さて、絵画等の芸術作品は、人の精神に作用して、心の安らぎや、幸福感や充実感の増大などの好影響を与えることがあることは良く知られている。このことから、一般家庭はもとより、集会場、公共施設等において広く絵画等が展示されている。特に、疾病の治療等により長期間の滞在が余儀なくされる病院では、その傾向が顕著になってきている。
【０００４】
しかしながら、病院の病室等では、同室で食事などが提供されることが一般的であり、人の出入りが多く、また数多くの治療装置が設置されるなどして、絵画等が損傷ないし劣化を受けやすい環境にある。なお、病室は、清潔で、菌やウイルス類が繁殖しない環境に保たれていなければならないことは、言うまでもない。
【０００５】
このようなことから、そのような場所において用いられる際には、額縁構造にもそれに適応したものでなくてはならない。
【０００６】
透明体の表面に光触媒コーティングを施したものとして、例えば実用新案登録第３１８１８４３号公報に記載のパネルがある。しかし、このパネルは、低反射層を必須とし、この低反射層はその表面に凹凸処理が施されたものであることから、この低反射層の存在によって視認性や、特定の複製絵画の立体感の発現に悪影響を与えることが考えられる。そのような低反射層表面の凹凸は、絵画等の作品特有の微妙な表現や色彩を損なわせたり、作品の風情、趣を変えてしまう可能性があると思われる。そして、この凹凸処理が施された低反射層は絵画等の掲示物と密着されて用いられていることから、例えば油絵や立体感を発現させる複製絵画のような立体的表現を伴う絵画には適していない。
【先行技術文献】
【特許文献】
【０００７】
【特許文献１】実用新案登録第３１８１８４３号公報
【発明の概要】
【本発明が解決しようとする課題】
【０００８】
本発明は、額装対象物（即ち、例えば絵画、複製絵画、色紙、写真等）を保護して、その劣化を抑止でき、かつその立体感やテクスチャー等の視認性を損なうことなく、額装対象物の鑑賞ないし展示に適した額縁構造を提供するものである。あわせて、設置された周囲環境の浄化ないし維持に寄与する額縁構造を提供するものである。
【課題を解決するための手段】
【０００９】
本発明による額縁構造は、視認面側から光触媒層と紫外線遮断層とがこの順序で配置された前面カバーを有すること、を特徴とするものである。
【００１０】
このような額縁構造は、好ましい態様として、前記の光触媒が、酸化チタン系触媒またはタングステン系触媒であるもの、を包含する。
【００１１】
このような額縁構造は、好ましい態様として、前記の紫外線遮断層が、アクリル樹脂材料からなるもの、を包含する。
【００１２】
このような額縁構造は、好ましい態様として、前記の紫外線遮断層が、透明基板の額装対象物側表面に紫外線遮断性材料層が形成されたものであるもの、を包含する。
【００１３】
このような額縁構造は、好ましい態様として、前記の前面カバーが、空気層を介して額装対象物と配置されているもの、を包含する。
【００１４】
このような額縁構造は、好ましい態様として、前記の光触媒層が、ナノサイズ酸化チタン系触媒に基づく紫外線遮断機能を有するもの、を包含する。
【００１５】
このような額縁構造は、好ましい態様として、発光装置を有するもの、を包含する。
【００１６】
このような額縁構造は、好ましい態様として、湿度調整剤および（または）ガス吸収性材料が配置されたもの、を包含する。
【００１７】
そして、本発明による額縁構造用の前面カバーは、光触媒層と紫外線遮断層とが配置されたことを特徴とするもの、である。
【発明の効果】
【００１８】
本発明による額縁構造は、内部に収容された額装対象物（即ち、例えば絵画、複製絵画、色紙、写真等）に対する保護効果が高いものであり、芸術作品の鑑賞等において用いられてきた伝統的な額縁と同様な趣きのものにすることができる。
【００１９】
そして、汚染物資の分解や除去、殺菌や消臭作用によって、設置された周囲環境の維持および清澄化が可能なものである。
【００２０】
さらに、本発明による額縁構造は、表面に凹凸処理が施された低反射層を用いないことから、その凹凸による視認性の変化および劣化等を全く考慮する必要がない。そして、経済的に製造することができるものである。
【００２１】
また、表面に凹凸処理が施された低反射層を額装対象物に密着させる必要がないことから、額装対象物が低反射層の凹凸によって損傷することがなく、かつ凹凸によって視認性が影響を受けることがない。よって、低反射層の凹凸によって、微妙な筆遣いやタッチ、色彩、グラデーション、絵の具や画材等の質感や色彩、作品特有の微妙な絵画表現、風情、趣などが影響を受けることがない。
【００２２】
そして、凹凸処理が施された低反射層の代わりに額装対象物の表面に空気層に設けることができ、例えば額装対象物と共に湿度調整剤やガス吸収性材料を封入した場合には、この空気層を通じて湿度調整あるいは有害ガスの除去ができるので、額装対象物の保護性を更に向上させることができる。
【００２３】
すなわち、本発明によれば、高精細もしくは超高精細の絵画や複製絵画において、これら絵画の絵の具等による立体的表現、筆さばきや色彩等の視覚的に損なうことなく絵画や、これらの複製絵画等を額装できる。
【００２４】
したがって、本発明による額縁構造は、種々の額装対象物、特に絵画、その中でも例えば油絵のように立体表現を伴う絵画（ならびに立体表現までも視覚的に忠実に再現された複製品）を額装するのに適したものであり、数々の劣化要因（例えば、温度や湿度の変化、埃、光（可視光線、赤外線および紫外線等を含む）、化学薬品等の汚染物質等）が存在する環境においても、額装対象物を確実に保護できるものである。
【００２５】
このようなことから、本発明による額縁構造は、多数の者が出入りする公共施設のみならず、病院の待合い室や病室等などのように、額装対象物が比較的損傷を受けやすい環境において用いられた場合において、従来よりも優れた保護効果が認められる。
【００２６】
そして、本発明による額縁構造用の前面カバーは、光触媒層と紫外線遮断層とが配置されたものであることから、紫外線による額装対象物の劣化を有効に防止できるとともに、光触媒に基づくセルフクリーニング効果、ならびに設置された周囲環境に存在する汚染物質の分解や除去、殺菌や消臭作用によって、環境の維持ないし清浄化が可能なものである。例えば、壁にかけておくだけでその部屋全体の清浄化を行うことが可能であり、例えば、本発明の額縁構造の好ましい一具体例によれば、額縁構造の露出した前面カバー１ｍ２あたり約７ｍ２の部屋を複数年継続的に清浄化することができる。
【００２７】
以上のような本発明による額縁構造は、例えば絵画等を病室に掲示する際に用いられた場合は、病室内の環境維持ないし向上を達成できると同時に患者等の精神的安定、安らぎ感を向上させて、病気回復の一助とすることができる。そして、患者の入院病室の移動の際にも容易に移動可能なものである。
【図面の簡単な説明】
【００２８】
【図１】本発明による額縁構造の好ましい一具体例を示す断面図である。
【発明を実施するための形態】
【００２９】
＜額縁構造＞
本発明による額縁構造は、視認面側から光触媒層と紫外線遮断層とがこの順序で配置された前面カバーを有すること、を特徴とするものである。
【００３０】
このような本発明による額縁構造の好ましい一具体例としては、例えば図１に示されるものを挙げることができる。
【００３１】
この図１に示される本発明による額縁構造１は、視認面側から、光触媒層２と紫外線遮断層３とがこの順序で配置された前面カバー４を有するものである。
【００３２】
この前面カバー４は、その周囲がフレーム５によって縁取れており、このフレーム５の枠組みによって支持ないし固定されるものである。なお、前面カバー４の大きさおよび形状には特に制限はなく、額装対象物６（例えば、絵画、色紙、写真等）の大きさや形状、額装対象物の見栄え等に応じて適宜定めることができる。
【００３３】
前面カバー４の厚さは、例えば外形寸法、強度や剛性などを考慮して適宜定めることができる。一般的には、１ｍｍ〜２０ｍｍ、好ましくは１ｍｍ〜１０ｍｍ、特に好ましくは２ｍｍ〜５ｍｍ、である。前面カバー４の厚さが１ｍｍ未満の場合は保護強度不足となり、一方、２０ｍｍ超過の場合は、重量増加となることから好ましくない。
【００３４】
フレーム５の大きさおよび形状にも特に制限はなく、額装対象物６（絵画、複製絵画、色紙、写真等）や前面カバー４の大きさおよび形状にあわせて適宜定めることができる。フレーム５の材質は、従来の額縁において用いられてきた物と同じように、例えば、木材、金属、樹脂、ガラス等の材料を用いることができる。
【００３５】
本発明による額縁構造においては、図１に示されるように、ライナー７を設けることができる。このライナー７によって額装対象物６上に空隙を形成することによって、額装対象物６の表面と前面カバー４とが直接接触することを防止することができる。通常、空隙には空気が存在しており、その結果、前面カバー４の紫外線遮断層３が空気層８を介して額装対象物６と配置されることになる。このことにより、例えば高精細もしくは超高精細の複製絵画の視覚的な立体感が強調されて、筆さばきや色彩等も原画通りに忠実に再現される。なお、空隙には、必要に応じて、空気と共にあるいは空気の代わりに不活性ガスを充填することができる。
【００３６】
ライナー７は、好ましくは木材、金属、樹脂およびガラス材料を用いることができる。そして、このライナー７は、必要に応じて、湿度調整剤および（または）ガス吸収剤を含むことができる。ライナー７の厚み（もしくは、このライナーによって形成される空気層８の厚さ）は、３ｍｍ〜１００ｍｍ、好ましくは５ｍｍ〜５０ｍｍ、特に好ましくは１０ｍｍ〜５０ｍｍ、である。３ｍｍ未満の場合は、前面カバー４と額装対象物６とが接触する可能性があって好ましくなく、一方、１００ｍｍ超過の場合は、作品鑑賞の妨げになることから好ましくない。
【００３７】
本発明による額縁構造１においては、額装対象物６の背面側（すなわち、額装対象物６の非観察面側）に、必要に応じて、背面シート９を配置することができる。このように、額装対象物６の背面が裏板１０に直接触れないようにすることによって、額装対象物６を保護することができる。背面シート９は、紙（好ましくは無酸性紙）のように、厚さ１ｍｍ未満のものを用いることができるし、厚さ１ｍｍ以上の板状のものを用いることできる。この背面シート９は、充分な剛性と反り防止の観点から、厚さ２ｍｍ〜１０ｍｍ、好ましくは３ｍｍ〜７ｍｍの板状の物が特に好ましい。本発明では、樹脂、特にポリスチレン、硬質ポリウレタンまたは金属からなる多孔質材料が好ましい。そして、この背面シート９は、必要に応じて、湿度調整剤および（または）ガス吸収剤を含むことができる。
【００３８】
額装対象物６を額装する際には、額装対象物６をこの背面シート９上に予めドライマウントしておくことが好ましい。
【００３９】
本発明による額縁構造１においては、額装対象物６は、フレーム５の枠組みによって支持ないし固定された前面カバー４と、必要に応じて設けられたライナー７や背面シート９を介して、裏板１０との間に押圧されることによって、額縁構造１内部に保持ないし支持される。裏板１０は、通常、フレーム５の枠組みに内接するような形状および大きさの物であって、額装対象物６を確実に保持できるような、充分な押圧が可能な強度、剛性を有するものが好ましい。従って、その材質および厚さは、これらの要求を満たすように選択されるのが通常である。
【００４０】
裏板１０の材料は、従来の額縁において用いられてきた物と同じように、好ましくは、例えば木材、金属、樹脂等を用いることができる。なお、必要に応じて、別の裏板１１を更に用いることができる。
【００４１】
そして、本発明による額縁構造１のフレーム５には、所望により、裏板１０を固定するための部品（例えば、トンボや、つの次等）（図示せず）を設けることができ、そして、額装品を壁などに吊す際に用いられる吊り金具（例えば、板吊や吊カン等）（図示せず）を設けることができる。
【００４２】
そして、本発明による額縁構造１においては、必要に応じて、発光装置１２を設けることができる。なお、この発光装置１２としては、所望に応じて、可視光線のみを発光するもの、紫外線のみを発光するもの、紫外領域から可視光領域にかけての光を発光するもののの中から選択することができる。このような発光装置１２を有する本発明による額縁構造は、鑑賞に相応しい明るさを提供することができ、また、光触媒の活性化に必要な紫外線を補うことができることから好ましい。なお、発光装置１２は、図１のように額縁構造１の外部に設けることができるし、額縁構造１の内部に設けることができる。
【００４３】
そして、本発明による額縁構造１においては、必要に応じて、額縁構造１の内部の温度や湿度をモニターするためのセンサー（図示せず）や、額縁構造１内部の換気や気圧調整のための開閉可能な連通孔等（図示せず）を設けることができる。
【００４４】
そして、本発明による額縁構造１においては、必要に応じて、額縁構造１周辺の空気と光触媒層３との接触を積極的に行って周辺空気の浄化を促進する送風機等（図示せず）を設けることができる。
【００４５】
＜前面カバー＞
本発明による額縁構造用の前面カバー４は、光触媒層２と紫外線遮断層３とが配置されたことを特徴とするもの、である。
【００４６】
光触媒層２を形成する好ましい光触媒としては、無色透明なものが好ましく、例えば、酸化チタン系触媒およびタングステン系触媒を挙げることができる。好ましい光触媒としては、例えば、酸化チタン系触媒を挙げることができる。そのような酸化チタン系触媒の好ましい具体例としては、例えば、東芝マテリアル社製の「ルネキャット」（商品名）を挙げることができる。
【００４７】
本発明では、特に、ナノサイズ触媒に基づく紫外線遮断機能を有するものが好ましい。このような光触媒層を採用する場合には、紫外線遮断層３の紫外線遮蔽効果と、この光触媒層による紫外線遮蔽効果の両者を利用することができ、これらの相乗的な効果を得ることできる。
【００４８】
そのようなナノサイズ触媒としては、電子顕微鏡観察（透過型電子顕微鏡観察撮影画像の画像解析）による平均一次粒子径が５〜５０ｎｍ、好ましくは１０〜３０ｎｍであり、粒度分布測定装置による平均二次粒子径が２００〜５５０ｎｍ、好ましくは２５０〜４００ｎｍであり、ＢＥＴ法による比表面積が１０〜３００ｍ２／ｇ、２０〜１５０ｍ２／ｇ、のものを用いることができる。
【００４９】
紫外線遮断層３は、（イ）ガラスや透明樹脂材料から形成された透明基板の表面に紫外線遮性材料層が形成されたもの、および（ロ）紫外線遮性材料が混入したガラスや透明樹脂材料から形成された透明基板等によって、構成することができる。
【００５０】
重量および加工のし易さ、紫外線遮断性能の持続性の観点から、透明樹脂材料（特に、好ましくはアクリル系樹脂材料）に紫外線遮断性材料を混入させた透明基板等が特に好ましい。
【００５１】
紫外線遮断層３の厚さは、例えば、紫外線遮断性能や、前面カバー４の外形寸法、外形寸法に見合った強度や剛性などを考慮して適宜定めることができる。
【００５２】
なお、本発明による前面カバーを額縁構造に用いる際は、その光触媒層２を視認面側（即ち、外気に直接曝されるように外側）に配置し、紫外線遮断層３を、空気層８側（即ち、外気に直接曝されない内側）に配置する。
【実施例】
【００５３】
以下の実施例は、本発明の好ましい額縁構造の代表例について更に示すものである。  
＜実施例１＞
紫外線遮断性アクリル樹脂製のパネルを用意し、このパネルの片側の表面にタングステン系触媒（東芝マテリアル社製の「ルネキャット」（商品名））を塗布して、光触媒層を形成して、前面カバーを得た。  
この前面カバーを、木材製のフレームに内接するように組み込み、さらに、木材製のライナーと、額装対象物（油絵の複製品イ１）と、背面シート（硬質ポリウレタン製の多孔質ボードを、この順序に組み込み、これらを木材製の裏板に押圧し、これを固定することによって、本発明による額縁構造（Ｉ）を用いた額装品を得た。
【００５４】
＜実施例２＞
アクリル樹脂製のパネルを用意し、このパネルの片側の表面に、紫外線遮断剤を塗布して紫外線遮断層を形成した。  
ついで、このアクリル樹脂製のパネルの反対面に、タングステン系触媒（東芝マテリアル社製の「ルネキャット」（商品名））を塗布して、光触媒層を形成して、前面カバーを得た。
上記のようにして得たパネルを前面カバーとして用い、複製品イ１と同様に複製された別の複製品イ２を用いた以外は実施例１と同様にして、本発明による額縁構造（II）を用いた額装品を得た。
【００５５】
＜実施例３＞
紫外線遮断性アクリル樹脂製のパネルを用意し、このパネルの片側の表面に酸化チタン系触媒を塗布して、光触媒層を形成して、前面カバーを得た。
上記のようにして得たパネルを前面カバーとして用い、複製品イ１と同様に複製された別の複製品イ３を用いた以外は実施例１と同様にして、本発明による額縁構造（III）を用いた額装品を得た。
【００５６】
＜実施例４＞
紫外線遮断性アクリル樹脂製のパネルを用意し、このパネルの片側の表面に、紫外線遮断剤を塗布して、紫外線遮断層を形成した。ついで、このアクリル樹脂製のパネルの反対面に、ナノサイズ酸化チタン系触媒を塗布して、光触媒層を形成して、前面カバーを得た。
上記のようにして得たパネルを前面カバーとして用い、複製品イ１と同様に複製された別の複製品イ４を用いた以外は以外は実施例１と同様にして、本発明による額縁構造（IV）を用いた額装品を得た。
【００５７】
＜比較例１＞
従来から一般的に用いられているアクリル樹脂製のパネルを用意した。このパネルによっては実質的に紫外線遮断されていないことが確認された。
このパネルを前面カバーとして用い、複製品イ１と同様に複製された別の複製品イ５を用いた以外は実施例１と同様にして、従来の額縁構造（比較例１）を用いた額装品を得た。
【００５８】
＜比較例２＞
低反射性処理されたアクリル樹脂製のパネルを用意した。このパネルによっては実質的に紫外線遮断されていないことが確認された。
このパネルを前面カバーとして用い、複製品イ１と同様に複製された別の複製品イ６を用いた以外は実施例１と同様にして、額縁構造（比較例２）を用いた額装品を得た。
【００５９】
＜対比観察結果（１）＞
実施例１による本発明による額縁構造（I）内の複製品イ１と、
実施例２による本発明による額縁構造（II）内の複製品イ２と、
実施例３による本発明による額縁構造（III）内の複製品イ３と、
実施例４による本発明による額縁構造（IV）内の複製品イ４と、
比較例１による従来の額縁構造（比較例１）内の複製品イ５と、
比較例２による額縁構造（比較例２）内の複製品イ６、
複製品イ１〜イ６と同様に複製され、額縁構造内に収容されていない、別の複製品ロとを、昼間の同一の室内条件下に並べて設置して、これらを目視にて対比観察した。
【００６０】
複製品イ１〜イ４と複製品イ５では、色彩および表面の質感等に目視上の違いは認められなかった。また、複製品イ１〜イ４と複製品ロでは、前面カバーの有無による違いはあるものの、色彩および表面の質感等に目視上の違いは実質的に認められなかった。このことから、本発明による額縁構造（I）〜（IV）は、従来の額縁構造と同様に、額装対象物の鑑賞に適したものであることが確認された。
比較例２による額縁構造（比較例２）は、低反射性処理されたアクリル樹脂製パネルを前面カバーとするものであるが、この前面カバーと複製品イ６とが離間していることから、前面カバーが白濁して見えて、複製品イ６を明瞭に見ることができなかった。
【００６１】
＜対比観察結果（２）＞
実施例１による本発明による額縁構造（I）内の複製品イ１と、
実施例２による本発明による額縁構造（II）内の複製品イ２と、
実施例３による本発明による額縁構造（III）内の複製品イ３と、
実施例４による本発明による額縁構造（IV）内の複製品イ４と、
比較例１による従来の額縁構造（比較例１）内の複製品イ５と、
比較例２による額縁構造（比較例２）内の複製品イ６と、
複製品イ１〜イ６と同様に複製され、額縁構造内に収容されていない、別の複製品ロとを、並べて設置し、これらに紫外線を均等に照射した。
【００６２】
紫外線照射後に額縁構造から取り出した複製品イ１〜イ６と、複製品ロと、紫外線照射されていない別の複製品ハとを、昼間の同一の室内条件下に並べて設置して、これらを目視にて対比観察した。
その結果、複製品イ５、複製品イ６、複製品ロは、明確に紫外線照射によって劣化していること確認された。
複製品イ１〜イ４と、複製品イ５、イ６、ロとの対比から、本発明による額縁構造（I）〜（IV）によれば紫外線劣化が有効に防止されることが確認された。
【００６３】
なお、紫外線照射に先立ち、本発明による額縁構造（I）〜（IV）ならびに額縁構造（比較例１）〜（比較例２）のそれぞれの前面カバーの一部分にサラダ油を付着させておいた。紫外線照射の後、前面カバーを確認したところ、額縁構造（I）〜（IV）においてはその痕跡が認められなかったが、額縁構造（比較例１）〜（比較例２）ではサラダ油による汚れが認められた。このことから、本発明による額縁構造（I）〜（IV）では、その光触媒層が効果的に機能していることが確認された。
【符号の説明】
【００６４】
１  額縁構造
２  光触媒層
３  紫外線遮断層
４  前面カバー
５  フレーム
６  額装対象物
７  ライナー
８  空気層
９  背面シート
１０  裏板
１１  裏板
１２  発光装置
【図１】
2015116210.tif 000003